(57)【要約】【課題】フック２８がボディ１４に固定されうる重心移動式のルアー１２の提供。【解決手段】ルアー１２は、ボディ１４のガイド室３２に、磁石片１６及び重錘１８を備えている。重錘１８は、ガイド室３２の内部において、前後方向に移動可能である。ボディ１４には、第一フック２８が取り付けられている。磁石片１６の最大磁気エネルギー積は、８ＭＧＯｅ以上である。重錘１８は、３質量％以上１５質量％以下のＮｉ、４質量％以上１５質量％以下のＦｅ及び５０質量％以上９３質量％以下のＷを含む粉末が焼結されてなる合金からなる。第一フック２８は、磁着性材料からなる。磁石片１６は、磁力によって重錘１８及び第一フック２８を引き寄せる。第一フック２８は、シャンクとこのシャンクに連続するベンドとを備えている。この第一フック２８がボディに固定された状態において、シャンクとベンドとの境界点Ｐ２の直上に、磁石片１６が位置する。【選択図】図１
2007209229.tif 000002
【特許請求の範囲】
【請求項１】
ボディと、
このボディに固定された磁石片と、
このボディに取り付けられており、磁着性材料からなるフックと、
前後方向に移動可能な状態でこのボディに内蔵されており、磁着性材料からなる重錘とを備えており、
この磁石片が、磁力によってフックをボディに固定しうると共に、磁力によって重錘を前方に引き寄せうるルアー。
【請求項２】
上記フックが、シャンクとこのシャンクに連続するベンドとを備えており、
このフックがボディに固定された状態において、シャンクとベンドとの境界点Ｐ２の直上に磁石片が位置するように構成された請求項１に記載のルアー。
【請求項３】
上記磁石片が希土類磁石からなる請求項１又は２に記載のルアー。
【請求項４】
上記磁石片の最大磁気エネルギー積が８ＭＧＯｅ以上である請求項１から３のいずれかに記載のルアー。
【請求項５】
上記重錘がＷを主成分としており、かつＦｅ又はＮｉを含んでいる請求項１から４のいずれかに記載のルアー。
【請求項６】
上記重錘が、３質量％以上１５質量％以下のＮｉ、４質量％以上１５質量％以下のＦｅ及び５０質量％以上９３質量％以下のＷを含む粉末が焼結されてなる合金からなる請求項５に記載のルアー。
【請求項７】
ボディと、
前後方向に移動可能な状態でこのボディに内蔵されており、磁石からなる重錘と、
このボディに固定されており、磁着性材料からなる磁着片と、
このボディに取り付けられており、磁着性材料からなるフックとを備えており、
この重錘が磁力によって磁着片に引き寄せられうると共に、この重錘と磁着片とが磁着した状態で重錘が磁力によりフックをボディに固定しうるルアー。
【請求項８】
上記フックが、シャンクとこのシャンクに連続するベンドとを備えており、
このフックがボディに固定された状態において、シャンクとベンドとの境界点Ｐ２の直上に重錘が位置するように構成された請求項５に記載のルアー。
【請求項９】
上記重錘が希土類磁石からなる請求項７又は８に記載のルアー。
【請求項１０】
上記重錘の最大磁気エネルギー積が８ＭＧＯｅ以上である請求項７から９のいずれかに記載のルアー。
【請求項１１】
上記磁着片がＷを主成分としており、かつＦｅ又はＮｉを含んでいる請求項７から１０のいずれかに記載のルアー。
【請求項１２】
上記磁着片が、３質量％以上１５質量％以下のＮｉ、４質量％以上１５質量％以下のＦｅ及び５０質量％以上９３質量％以下のＷを含む粉末が焼結されてなる合金からなる請求項１１に記載のルアー。
【発明の詳細な説明】
【技術分野】
【０００１】
本発明は、釣りに用いられるルアーに関する。詳細には、本発明は、重心移動式のルアーに関する。
【背景技術】
【０００２】
オオクチバス、ブリ及びその幼魚、スズキ等の大型の魚は、ベイトとして小魚を補食する。これら大型の魚は、フィッシュイーターと称されている。フィッシュイーターを捕獲する手段として、ルアーフィッシングが普及している。ルアーフィッシングでは、ルアーが用いられる。図６は、従来のルアー２が示された正面図である。このルアー２は、ボディ４と、ラインアイ６と、２つのフック８とを備えている。ラインアイ６には、ライン１０が連結されている。キャストによりルアー２は空中を飛行し、やがて着水する。ライン１０が巻かれることで、ルアー２は水中を泳ぐ。このルアー２をベイトと勘違いしたフィッシュイーターは、ルアー２に食いつく。ルアー２に取り付けられたフック８がフィッシュイーターに刺さり、フィッシュイーターが釣り上げられる。
【０００３】
キャスト時やリトリーブ時に、図６において２点差線で示されるように、フック８が背側に回り込んでボディ４に絡みつくことがある。この絡みつきは、ルアー２の水中でのアクションを阻害する。しかも、絡みつきにより、ルアー２に食いついたフィッシュイーターのフッキング率が低下する。
【０００４】
フックを磁着しうる磁石が内蔵されたルアーが提案されている。このルアーでは、磁着によってフックが所定位置に固定される。この固定により、フックの背部への回り込みが阻止される。
【０００５】
釣り人が、ルアーを遠方へキャストしたいと望むことがある。前述のように、ルアーは空中を飛行する。飛行時には、ルアーは空気抵抗を受ける。空気抵抗の小さなルアーは、遠方へとキャストされうる。
【０００６】
前述のようにフィッシュイーターは、ルアーをベイトと勘違いすることによりこのルアーに食いつく。ルアーの水中姿勢やアクションは、フィッシュイーターの勘違いを誘うものである必要がある。
【０００７】
特開２００１−２９９１５４公報には、重心移動式のルアーが開示されている。このルアーでは、ボディに内蔵された重錘が前後方向に移動しうる。空中を飛行するとき、重錘は後側（つまり尾側）に位置する。換言すれば、飛行時のルアーの重心は、後寄りである。ルアーは、尾を先頭にして飛行する。この飛行姿勢における空気抵抗は小さいので、ルアーは遠方へとキャストされうる。着水後、磁石に引かれて重錘は前側へと移動する。水中では、重錘は前側に位置する。換言すれば、水中でのルアーの重心は、前寄りである。この重心位置は、ルアーの水中姿勢及びアクションに寄与する。この種のルアーでは、一般的にフェライト磁石が用いられている。さらに、この種のルアーでは、重錘は、強磁性材料（具体的には炭素鋼）からなる。
【特許文献１】特開２００１−２９９１５４公報
【発明の開示】
【発明が解決しようとする課題】
【０００８】
このように、磁石によってフックが固定されうるルアーは既知であり、磁石によって重錘が移動するルアーも既知である。釣り人は、両方の機能を備えたルアーを望んでいる。本発明の目的は、フックがボディに固定されうると共に、重心が移動しうるルアーの提供にある。
【課題を解決するための手段】
【０００９】
本発明に係るルアーは、ボディと、このボディに固定された磁石片と、このボディに取り付けられており磁着性材料からなるフックと、前後方向に移動可能な状態でこのボディに内蔵されており磁着性材料からなる重錘とを備える。この磁石片は、磁着によってフックをボディに固定しうる。この磁石片は、磁着によって重錘を前方に引き寄せうる。本発明において「磁着性」とは、磁石に吸着されうる性質を意味する。
【００１０】
このフックは、シャンクとこのシャンクに連続するベンドとを備える。好ましくは、このフックがボディに固定された状態において、シャンクとベンドとの境界点Ｐ２の直上に磁石片が位置する。
【００１１】
好ましくは、磁石片は希土類磁石からなる。好ましくは磁石片の最大磁気エネルギー積は、８ＭＧＯｅ以上である。
【００１２】
好ましくは、重錘はＷを主成分としており、かつＦｅ又はＮｉを含んでいる。好ましくは、重錘は、３質量％以上１５質量％以下のＮｉ、４質量％以上１５質量％以下のＦｅ及び５０質量％以上９３質量％以下のＷを含む粉末が焼結されてなる合金からなる。
【００１３】
本発明に係る他のルアーは、ボディと、前後方向に移動可能な状態でこのボディに内蔵されており磁石からなる重錘と、このボディに固定されており磁着性材料からなる磁着片と、このボディに取り付けられており磁着性材料からなるフックとを備えている。この重錘は、磁着によって磁着片に引き寄せられうる。この重錘と磁着片とが磁着した状態で、この重錘は磁力によりフックをボディに固定しうる。
【００１４】
このフックは、シャンクとこのシャンクに連続するベンドとを備える。好ましくは、このフックがボディに固定された状態において、シャンクとベンドとの境界点Ｐ２の直上に重錘が位置する。
【００１５】
好ましくは、重錘は希土類磁石からなる。好ましくは、重錘の最大磁気エネルギー積は、８ＭＧＯｅ以上である。
【００１６】
好ましくは、磁着片はＷを主成分としており、かつＦｅ又はＮｉを含んでいる。好ましくは、磁着片は、３質量％以上１５質量％以下のＮｉ、４質量％以上１５質量％以下のＦｅ及び５０質量％以上９３質量％以下のＷを含む粉末が焼結されてなる合金からなる。
【発明の効果】
【００１７】
本発明に係るルアーでは、重錘の移動によって重心が移動しうる。このルアーでは、大きな飛距離、適正な水中姿勢及び良好なアクションが達成されうる。このルアーでは、フックの固定により、良好なアクション及び高いフッキング率が達成されうる。このルアーでは、重心移動用の磁石がフックの固定のための磁石を兼ねるので、その構造は複雑ではない。
【発明を実施するための最良の形態】
【００１８】
以下、適宜図面が参照されつつ、好ましい実施形態に基づいて本発明が詳細に説明される。
【００１９】
図１は、本発明の一実施形態に係るルアー１２が示された一部切り欠き断面図である。図１において、左右方向はルアー１２の前後方向であり、上下方向はルアー１２の体高方向である。このルアー１２は、ボディ１４、磁石片１６、重錘１８、リップ２０、ラインアイ２２、第一アイ２４、第二アイ２６、第一フック２８及び第二フック３０を備えている。フック２８、３０の数は１でもよく、３以上でもよい。
【００２０】
ボディ１４は、ベイトである小魚に類似の外形を有する。典型的には、ボディ１４は合成樹脂からなる。好ましい合成樹脂は、ＡＢＳ樹脂である。ボディ１４が金属材料又は木質材料からなってもよい。ボディ１４は中空である。ボディ１４は、前後方向に延びるガイド室３２を備えている。
【００２１】
磁石片１６は、ボディ１４に固定されている。磁石片１６は、ガイド室３２の前端に位置する。この例では、磁石片１６は円柱状である。磁石片１６は、フェライト磁石、希土類磁石等からなる。大きな磁力が得られるとの観点から、希土類磁石が好ましい。
【００２２】
重錘１８は、ボディ１４に内蔵されている。重錘１８は、ガイド室３２に収容されている。この例では、ガイド室３２に２個の重錘１８が収容されている。重錘１８の数は１でもよく、３以上でもよい。重錘１８の形状は、球である。重錘１８の直径は、ガイド室３２の高さよりも若干小さい。重錘１８は、ガイド室３２の中において前後方向に移動可能である。図１では、重錘１８が最も前側に位置した状態が実線で示されており、重錘１８が最も後側に位置した状態が二点差線で示されている。重錘１８は、磁着性材料からなる。
【００２３】
リップ２０は板状であり、硬質材料からなる。リップ２０は、ボディ１４の頭部の底面に取り付けられており、前方に張り出している。図１から明らかなように、リップ２０は前後方向に対して傾斜している。リップ２０は、前方に向かって体高方向下向きに傾斜している。ルアー１２が水中を泳ぐとき、リップ２０の上面は水受け面となる。リップ２０が水を受けることにより、ルアー１２が潜行する。リップ２０が形成されなくてもよい。
【００２４】
ラインアイ２２、第一アイ２４及び第二アイ２６は、金属線が曲げられることによって形成されている。金属線の端部は、ボディ１４に埋設されている。この埋設により、アイ２２、２４、２６がボディ１４に取り付けられている。ラインアイ２２には、直接に、又はスナップを介して、ラインが連結される。第一アイ２４を介して、第一フック２８がボディ１４に取り付けられている。第二アイ２６を介して、第二フック３０がボディ１４に取り付けられている。第一フック２８は、磁着性材料からなる。第一フック２８の典型的な材質は、鋼である。
【００２５】
図２（ａ）は第一フック２８が示された正面図であり、図２（ｂ）はその右側面図である。この第一フック２８は、いわゆるトレブルフックである。この第一フック２８は、ちもと３４、３本のシャンク３６、３個のベンド３８及び接合部４０を備えている。ベンド３８は、バーブ４２を備えている。バーブ４２が形成されなくてもよい。接合部４０は、溶接肉盛りによって形成されている。接合部４０により、３本のシャンク３６が接合されている。図２において、符号Ｐ１で示されているのは接合部４０の下端であり、符号Ｐ２で示されているのは、下端Ｐ１から２．０ｍｍ下方の地点である。本発明では、点Ｐ２がシャンク３６とベンド３８との境界点と定義される。３本のシャンク３６が、ロウ接によって接合されてもよい。この場合は、ロウ接の下端から２．０ｍｍ下方の地点が、境界点Ｐ２である。３本のシャンク３６が、ワイヤーで結束されてもよい。この場合は、ワイヤーの下端から２．０ｍｍ下方の地点が、境界点Ｐ２である。図示されていないが、第二フック３０の形状も、第一フック２８の形状と同一である。
【００２６】
このルアー１２の飛行時には、重錘１８は、遠心力及び慣性により、図１において二点差線で示された位置に存在する。このときのルアー１２の重心は、後寄りである。ルアー１２は、後側を先頭にした姿勢で飛行する。このときの空気抵抗は、小さい。このルアー１２では、大きな飛距離が得られる。着水後、重錘１８は磁力によって前方へと引き寄せられ、磁石片１６に磁着する。重錘１８は、図１において実線で示された位置に存在する。この状態では、飛行時に比べ、ルアー１２の重心は前寄りである。この重心位置は、水中でのルアー１２にとって適正な位置である。重心位置が適正であるルアー１２は、水中で適正な姿勢を保つ。重心位置が適正であるルアー１２がラインで引かれると、このルアー１２は良好なアクションを起こす。このルアー１２は、フィッシュイーターにアピールする。
【００２７】
図３（ａ）は図１のルアー１２の使用状態が示された正面図であり、図３（ｂ）はその一部が示された拡大図である。図３には、水中にあるルアー１２が示されている。この状態では、第一フック２８はボディ１４に固定されている。この固定は、第一フック２８が磁力によって磁石片１６に引き寄せられることによって達成される。第一フック２８は、第一アイ２４の後方に位置している。シャンク３６は、実質的に前後方向に延びている。ボディ１４に固定された第一フック２８は、背部へ回り込まない。このルアー１２では、背部への回り込みによる不適切なアクションが生じない。このルアー１２ではさらに、背部への回り込みによるフッキング率の低下も生じない。なお、第一フック２８は、フッキング時にボディ１４から離れる。
【００２８】
このルアー１２では、１つの磁石片１６が、重錘１８を引き寄せる機能と第一フック２８を引き寄せる機能とを果たす。従って、それぞれの機能が別個の磁石で達成される場合に比べて、ルアー１２の構造がシンプルである。このルアー１２は、低コストで製造されうる。
【００２９】
図３（ｂ）において、符号Ｌ１で示されている直線は境界点Ｐ２の前後方向位置を表しており、符号Ｌ２で示されている直線は磁石片１６の前端位置を表しており、符号Ｌ３で示されている直線は磁石片１６の後端位置を表している。この図３（ｂ）から明らかなように、直線Ｌ１は、直線Ｌ２と直線Ｌ３との間に位置している。換言すれば、磁石片１６は、境界点Ｐ２の直上に位置している。磁石片１６と境界点Ｐ２との位置関係が上記のように設定されることにより、第一フック２８が確実にボディ１４に固定される。
【００３０】
磁石片１６の磁力は、ボディ１４を介して第一フック２８を磁着しうる強さである必要がある。磁石片１６の最大磁気エネルギー積は８ＭＧＯｅ以上が好ましく、１２ＭＧＯｅ以上がより好ましく、１６ＭＧＯｅ以上が特に好ましい。好ましい磁石片１６の材質としては、希土類磁石が挙げられる。希土類磁石の具体例としては、最大磁気エネルギー積が３０〜５０ＭＧＯｅであるネオジム磁石、最大磁気エネルギー積が１０〜３０ＭＧＯｅであるサマリウム−コバルト磁石等が挙げられる。最大磁気エネルギー積が大きな磁石片１６は、重錘１８をも強力に引き寄せる。最大磁気エネルギー積が過大であると、キャスト時に重錘１８が後方へと移動しない。重錘１８の移動が許容されるとの観点から、最大磁気エネルギー積は９０ＭＧＯｅ以下が好ましい。
【００３１】
従来のルアーでは、その材質が炭素鋼である重錘が用いられている。この炭素鋼は、強磁性体である。この炭素鋼よりも磁着性が弱い重錘１８が用いられることにより、磁石片１６の最大磁気エネルギー積が大きい場合でも、キャスト時に重錘１８が後方へと移動しうる。重錘１８の好ましい材質は、以下の成分を含む粉末が焼結されてなる合金である。
（１）３質量％以上１５質量％以下のニッケル（Ｎｉ）
（２）４質量％以上１５質量％以下の鉄（Ｆｅ）
（３）５０質量％以上９３質量％以下のタングステン（Ｗ）
（４）不可避な不純物
この粉末の主成分は、Ｗである。Ｗの比重は大きいので、Ｗが用いられることにより比重の大きな重錘１８が得られる。この重錘１８を備えたルアー１２では、重心移動効果が大きい。Ｗは単体では磁着性を有さないので、このＷが主成分とされた重錘１８の磁着性は弱い。この粉末におけるＷの比率は７０質量％以上が好ましく、８０質量％以上がより好ましく、８５質量％以上が特に好ましい。この重錘１８では、Ｆｅ及びＮｉによって磁着性が発現される。
【００３２】
重錘１８の特に好ましい材質として、以下の成分を含む粉末が焼結されてなる合金が挙げられる。
（１）３質量％以上１５質量％以下のニッケル（Ｎｉ）
（２）４質量％以上１５質量％以下の鉄（Ｆｅ）
（３）５０質量％以上９３質量％以下のタングステン（Ｗ）
（４）０．５質量％以上１０質量％以下のコバルト（Ｃｏ）又は銅（Ｃｕ）
（５）不可避な不純物
この粉末の主成分は、Ｗである。Ｗの比重は大きいので、Ｗが用いられることにより比重の大きな重錘１８が得られる。この重錘１８を備えたルアー１２では、重心移動効果が大きい。Ｗは単体では磁着性を有さないので、このＷが主成分とされた重錘１８の磁着性は弱い。この粉末におけるＷの比率は７０質量％以上が好ましく、８０質量％以上がより好ましく、８５質量％以上が特に好ましい。この重錘１８では、Ｆｅ及びＮｉによって磁着性が発現される。
【００３３】
図４は、本発明の他の実施形態に係るルアー４４が示された一部切り欠き断面図である。図４において、左右方向はルアー４４の前後方向であり、上下方向はルアー４４の体高方向である。このルアー４４は、ボディ１４、磁着片４６、重錘４８、リップ２０、ラインアイ２２、第一アイ２４、第二アイ２６、第一フック２８及び第二フック３０を備えている。このルアー４４が図１に示されたルアー１２と異なる点は、第一アイ２４の位置、磁石片１６に代えて磁着片４６を備えること、及び重錘４８の材質である。
【００３４】
磁着片４６は、ボディ１４に固定されている。磁着片４６は、ボディ１４のガイド室３２の前端に位置する。この例では、磁着片４６は円柱状である。磁着片４６は、磁着性材料からなる。
【００３５】
重錘４８は、ボディ１４に内蔵されている。重錘４８は、ガイド室３２に収容されている。この例では、ガイド室３２に２個の重錘４８が収容されている。重錘４８の数は１でもよく、３以上でもよい。重錘４８の形状は、球である。重錘４８の直径は、ガイド室３２の高さよりも若干小さい。重錘４８は、ガイド室３２の中において前後方向に移動可能である。図３では、重錘４８が最も前側に位置した状態が実線で示されており、重錘４８が最も後側に位置した状態が二点差線で示されている。重錘４８は、磁石からなる。磁石の具体例としては、フェライト磁石、希土類磁石等が挙げられる。大きな磁力が得られるとの観点から、希土類磁石が好ましい。
【００３６】
このルアー４４の飛行時には、重錘４８は、遠心力及び慣性により、図４において二点差線で示された位置に存在する。このときのルアー４４の重心は、後寄りである。ルアー４４は、後側を先頭にした姿勢で飛行する。このときの空気抵抗は、小さい。このルアー４４では、大きな飛距離が得られる。着水後、重錘４８は磁力によって磁着片４６と引き合う。磁着片４６はボディ１４に固定されているので、重錘４８が磁着片４６の方（すなわち前方）へと引き寄せられる。重錘４８は、図４において実線で示された位置に存在する。この状態では、飛行時に比べ、ルアー４４の重心は前寄りである。この重心位置は、水中でのルアー４４にとって適正な位置である。重心位置が適正であるルアー４４は、水中で適正な姿勢を保つ。重心位置が適正であるルアー４４がラインで引かれると、このルアー４４は良好なアクションを起こす。このルアー４４は、フィッシュイーターにアピールする。
【００３７】
図５（ａ）は図４のルアー４４の使用状態が示された正面図であり、図５（ｂ）はその一部が示された拡大図である。図５には、水中にあるルアー４４が示されている。この状態では、第一フック２８はボディ１４に固定されている。この固定は、第一フック２８が磁力によって重錘４８に引き寄せられることによって達成される。第一フック２８は、第一アイ２４の後方に位置している。シャンク３６は、実質的に前後方向に延びている。ボディ１４に固定された第一フック２８は、背部へ回り込まない。このルアー４４では、背部への回り込みによる不適切なアクションが生じない。このルアー４４ではさらに、背部への回り込みによるフッキング率の低下も生じない。
【００３８】
このルアー４４では、磁石からなる重錘４８が、自らを前方へと移動させる機能と第一フック２８を引き寄せる機能とを果たす。従って、それぞれの機能が別個の磁石で達成される場合に比べて、ルアー４４の構造がシンプルである。このルアー４４は、低コストで製造されうる。
【００３９】
図５（ｂ）において、符号Ｌ４で示されている直線は境界点Ｐ２の前後方向位置を表しており、符号Ｌ５で示されている直線は重錘４８の前端位置を表しており、符号Ｌ６で示されている直線は重錘４８の後端位置を表している。この図５（ｂ）から明らかなように、直線Ｌ４は、直線Ｌ５と直線Ｌ６との間に位置している。換言すれば、重錘４８は、境界点Ｐ２の直上に位置している。重錘４８と境界点Ｐ２との位置関係が上記のように設定されることにより、第一フック２８が確実にボディ１４に固定される。
【００４０】
重錘４８の磁力は、ボディ１４を介して第一フック２８を磁着しうる強さである必要がある。重錘４８の最大磁気エネルギー積は８ＭＧＯｅ以上が好ましく、１２ＭＧＯｅ以上がより好ましく、１６ＭＧＯｅ以上が特に好ましい。好ましい重錘４８の材質としては、希土類磁石が挙げられる。希土類磁石の具体例としては、最大磁気エネルギー積が３０〜５０ＭＧＯｅであるネオジム磁石、最大磁気エネルギー積が１０〜３０ＭＧＯｅであるサマリウム−コバルト磁石等が挙げられる。最大磁気エネルギー積が大きな重錘４８が用いられると、磁着片４６と重錘４８とが大きな力で磁着する。最大磁気エネルギー積が過大であると、キャスト時に重錘４８が後方へと移動しない。重錘４８の移動が許容されるとの観点から、最大磁気エネルギー積は９０ＭＧＯｅ以下が好ましい。
【００４１】
磁着性が弱い磁着片４６が用いられることにより、重錘４８の最大磁気エネルギー積が大きい場合でも、キャスト時に重錘４８が後方へと移動しうる。磁着片４６の好ましい材質は、以下の成分を含む粉末が焼結されてなる合金である。
（１）３質量％以上１５質量％以下のニッケル（Ｎｉ）
（２）４質量％以上１５質量％以下の鉄（Ｆｅ）
（３）５０質量％以上９３質量％以下のタングステン（Ｗ）
（４）不可避な不純物
この粉末の主成分は、Ｗである。Ｗは単体では磁着性を有さないので、このＷが主成分とされた磁着片４６の磁着性は弱い。この粉末におけるＷの比率は７０質量％以上が好ましく、８０質量％以上がより好ましく、８５質量％以上が特に好ましい。この磁着片４６では、Ｆｅ及びＮｉによって磁着性が発現される。
【００４２】
重錘４８の特に好ましい材質として、以下の成分を含む粉末が焼結されてなる合金が挙げられる。
（１）３質量％以上１５質量％以下のニッケル（Ｎｉ）
（２）４質量％以上１５質量％以下の鉄（Ｆｅ）
（３）５０質量％以上９３質量％以下のタングステン（Ｗ）
（４）０．５質量％以上１０質量％以下のコバルト（Ｃｏ）又は銅（Ｃｕ）
（５）不可避な不純物
この粉末の主成分は、Ｗである。Ｗは単体では磁着性を有さないので、このＷが主成分とされた磁着片４６の磁着性は弱い。この粉末におけるＷの比率は７０質量％以上が好ましく、８０質量％以上がより好ましく、８５質量％以上が特に好ましい。この磁着片４６では、Ｆｅ及びＮｉによって磁着性が発現される。
【産業上の利用可能性】
【００４３】
本発明に係るルアーは、湖沼、池、ダム、川、海等の種々のフィールドでの釣りに適している。
【図面の簡単な説明】
【００４４】
【図１】図１は、本発明の一実施形態に係るルアーが示された一部切り欠き断面図である。
【図２】図２（ａ）は図１のルアーの第一フックが示された正面図であり、図２（ｂ）はその右側面図である。
【図３】図３（ａ）は図１のルアーの使用状態が示された正面図であり、図３（ｂ）はその一部が示された拡大図である。
【図４】図４は、本発明の他の実施形態に係るルアーが示された一部切り欠き断面図である。
【図５】図５（ａ）は図４のルアーの使用状態が示された正面図であり、図５（ｂ）はその一部が示された拡大図である。
【図６】図６は、従来のルアーが示された正面図である。
【符号の説明】
【００４５】
１２、４４・・・ルアー
１４・・・ボディ
１６・・・磁石片
１８、４８・・・重錘
２８・・・第一フック
３０・・・第二フック
３２・・・ガイド室
３４・・・ちもと
３６・・・シャンク
３８・・・ベンド
４０・・・接合部
４６・・・磁着片
Ｐ２・・・境界点
【図１】
2007209229.tif 000003
【図２】
2007209229.tif 000004
【図３】
2007209229.tif 000005
【図４】
2007209229.tif 000006
【図５】
2007209229.tif 000007
【図６】
2007209229.tif 000008